(57)【要約】【課題】タイミングコントローラからＧＩＰゲートドライバに各種信号を印加する信号ラインの静電気防止回路部を、ＧＩＰダミーゲートドライバの側に形成し、シールマージンを確保することができるＧＩＰ構造の液晶表示装置を提供する。【解決手段】アクティブ領域とダミー領域をそれぞれ備えて相対向する第１基板及び第２基板と、第１基板のダミー領域の下側に形成される共通配線と、第１基板のダミー領域の一側に形成されるＧＩＰゲートドライバと、ＧＩＰゲートドライバと共通配線間のダミー領域に形成されるＧＩＰダミーゲートドライバと、タイミングコントローラから出力される信号を、ＧＩＰゲートドライバ及びＧＩＰダミーゲートドライバに印加するために、第１基板のダミー領域の一側に形成される信号ラインと、信号ラインと共通配線間の第１基板のダミー領域に配置される静電気防止回路部とを備える。【選択図】図３
2008009367.tif 000002
【特許請求の範囲】
【請求項１】
アクティブ領域とダミー領域をそれぞれ備えて相対向する第１基板及び第２基板と、
前記第１基板の前記ダミー領域の下側に形成される共通配線と、
前記第１基板の前記ダミー領域の一側に形成されるＧＩＰゲートドライバと、
前記ＧＩＰゲートドライバと前記共通配線間のダミー領域に形成されるＧＩＰダミーゲートドライバと、
タイミングコントローラから出力される信号を、前記ＧＩＰゲートドライバ及び前記ＧＩＰダミーゲートドライバに印加するために、前記第１基板の前記ダミー領域の一側に形成される信号ラインと、
前記信号ラインと前記共通配線間の前記第１基板の前記ダミー領域に配置される静電気防止回路部と
を備えて構成されることを特徴とするＧＩＰ構造の液晶表示装置。
【請求項２】
前記静電気防止回路部は、前記ダミー領域の左下側に配置されることを特徴とする請求項１に記載のＧＩＰ構造の液晶表示装置。
【請求項３】
前記静電気防止回路部は、
前記信号ラインに対応する静電気防止素子と、
前記各静電気防止素子を、前記各信号ライン及び前記共通配線にそれぞれ連結する複数のラインと
を備えて構成されることを特徴とする請求項１に記載のＧＩＰ構造の液晶表示装置。
【発明の詳細な説明】
【技術分野】
【０００１】
本発明は、内蔵ゲートパネル（ＧＩＰ：Ｇａｔｅ  Ｉｎ  Ｐａｎｅｌ）構造の液晶表示装置に係り、特に、タイミングコントローラからＧＩＰゲートドライバに各種信号を印加する信号ラインの静電気防止回路部を、ＧＩＰダミーゲートドライバ側に形成し、シールマージンを確保できる液晶表示装置に関する。
【背景技術】
【０００２】
通常の液晶表示装置は、電界を用いて誘電異方性を持つ液晶の光透過率を調節することによって画像を表示する。このため、液晶表示装置は、画素領域がマトリクス形態に配列された液晶表示パネルと、液晶表示パネルを駆動するための駆動回路とを備える。
【０００３】
液晶表示パネルは、第１基板及び第２基板が一定空間をおいて合着され、この一定空間に液晶層が形成される。なお、液晶層を各画素別に駆動するために、第１基板には、複数本のゲートラインと複数本のデータラインが互いに直交配列されて画素領域を定義し、各画素領域には画素電極が形成され、ゲートラインとデータラインが交差する個所には薄膜トランジスタが形成され、該薄膜トランジスタが各ゲートラインのスキャン信号に応じてターンオンされ、データラインのデータ信号を各画素電極に印加するように構成される。
【０００４】
また、第２基板には、画素領域以外の部分における光を遮断するためのブラックマトリクス層と、色を表現するために各画素領域に対応して形成されるカラーフィルタ層と、画素電極に対応して液晶層を駆動するための電界を形成する共通電極とが備えられる。
【０００５】
駆動回路は、ゲートラインを駆動するためのゲートドライバと、データラインを駆動するためのデータドライバと、ゲートドライバとデータドライバを制御するための制御信号及びデータ信号などを供給するタイミングコントローラとを備える。
【０００６】
ゲートドライバは、各ゲートラインに順次スキャンパルスを出力するシフトレジスタを備える。該シフトレジスタは、互いに縦続的につながれた複数のステージから構成される。これら複数のステージは、スキャンパルスを順次出力し、液晶パネルのゲートラインを順次スキャニングする。
【０００７】
具体的に、シフトレジスタの複数のステージのうち一番目のステージは、タイミングコントローラからのスタート信号をトリガ信号として受信し、一番目のステージを除く残りのステージは、以前のステージからの出力信号をトリガ信号として受信する。なお、複数のステージのそれぞれは、互いに順次、位相差を持つ複数のクロックパルスのうち、少なくとも一つのクロックパルスが印加され、これにより、一番目のステージから最後のステージまでスキャンパルスを順次出力するようになる。
【０００８】
このような従来のゲートドライバは、ゲート駆動部のシフトレジスタが内蔵される別のゲートドライバＩＣを作り、これをＴＣＰ工程などを用いて液晶表示パネルのゲートラインパッドに連結して使用してきた。
【０００９】
しかしながら、近来は、データドライバは、データドライバＩＣを使用し、ゲートドライバは、材料費の節減、工程数の減少及び工程時間の短縮の目的のために、液晶表示パネル上にシフトレジストを形成するゲートインパネル（Ｇａｔｅ  Ｉｎ  Ｐａｎｅｌ：ＧＩＰ）技術が用いられている。
【００１０】
かかる従来のＧＩＰ構造の液晶表示装置を説明すると、下記の通りである。
【００１１】
図１は、従来のＧＩＰ構造の液晶表示装置を示す平面図で、図２は、図１における静電気防止回路部を拡大して示す平面図である。
【００１２】
従来のＧＩＰ構造の液晶表示装置は、図１に示すように、一定空間をおいてシール材９によって下部基板１と上部基板２が合着される。ここで、下部基板１を上部基板２よりも大きくし、そこにデータドライバなどが実装される非表示領域を形成し、合着された上下部基板１、２のシール材９の内側に表示領域を形成する。図１では、下部基板１の非表示領域にＴＣＰ７が実装される場合を示している。最近では、下部基板の共通配線と上部基板の共通電極とを連結するためのＡｇドットを使用せずに、シール材を伝導性シール材として共通配線と共通電極とを電気的に連結している。
【００１３】
また、上記のように合着された上下部基板１、２における表示領域は、アクティブ領域Ａ／Ａとダミー領域Ｄとに区分される。
【００１４】
上述の如く、下部基板１の表示領域のうち、アクティブ領域Ａ／Ａには、ゲートライン、データライン、画素電極及び薄膜トランジスタが形成され、上部基板２の表示領域のうち、アクティブ領域Ａ／Ａには、ブラックマトリクス層、カラーフィルタ層及び共通電極などが形成される。
【００１５】
なお、下部基板１の表示領域のうち、ダミー領域Ｄには、共通配線（図示せず）、ＧＩＰゲートドライバ３、ＧＩＰダミーゲートドライバ４、及びタイミングコントローラから出力される各種信号（クロック信号、イネーブル信号、スタート信号、共通電圧等）を、ＧＩＰゲートドライバ３及びＧＩＰダミーゲートドライバ４に印加するための信号ライン５が形成され、上部基板２の表示領域のうち、ダミー領域Ｄには、ブラックマトリクス層が形成される。
【００１６】
もちろん、表示領域の上下部基板１、２間には、液晶層が形成される。
【００１７】
なお、工程中に信号ライン５に静電気が印加されると、内部回路の素子が破壊されることがあり、これを防止するために、信号ライン５には静電気防止回路部６が設置される。
【００１８】
この静電気防止回路部６を、図２を参照してより具体的に説明すると、下記の通りである。
【００１９】
静電気防止回路部６は、液晶表示パネルの左上端のダミー領域に形成されたもので、一番目のゲートライン（ダミーゲートライン）を用いて静電気防止回路を構成する。
【００２０】
すなわち、静電気防止回路部６は、各信号ライン５とアクティブ領域の一番目のゲートラインとの間において、該各信号ラインに対応する別のライン８をダミー領域に構成し、信号ラインの本数に対応する静電気防止素子６ａを、各ライン８に配置してなる。
【発明の開示】
【発明が解決しようとする課題】
【００２１】
しかしながら、上記の従来のＧＩＰ構造の液晶表示装置では、次のような問題点があった。
すなわち、シール材を静電気防止回路部と重畳させることができず、信号ライン上の静電気防止回路部を、一番目のゲートラインが形成される液晶表示パネルの左上端のダミー領域に形成することから、静電気防止回路部が、上下部基板を合着するシール材と近づくことになるため、シール材形成マージンが減るという工程上の不具合があった。
【００２２】
しかも、静電気防止回路部が、上下部基板を合着するシール材と近づいて形成されるため、該シール材が伝導性シール材の場合では、上部基板の共通電極と信号ラインとがショートし、不良の発生につながるという問題があった。
【００２３】
本発明は上記の問題点を解決するためのもので、静電気防止回路部を、より空間の広いＧＩＰダミーゲートドライバに隣接する液晶表示パネルの左側下部に配置することによって、シール材のマージンを向上させるとともに、収率を向上させることができるＧＩＰ構造の液晶表示装置を提供することにある。
【課題を解決するための手段】
【００２４】
上記目的を達成するための本発明に係る液晶表示装置は、アクティブ領域とダミー領域をそれぞれ備え、相対向する第１基板及び第２基板と、前記第１基板の前記ダミー領域の下側に形成される共通配線と、前記第１基板の前記ダミー領域の一側に形成されるＧＩＰゲートドライバと、前記ＧＩＰゲートドライバと前記共通配線間のダミー領域に形成されるＧＩＰダミーゲートドライバと、タイミングコントローラから出力される信号を、前記ＧＩＰゲートドライバ及び前記ＧＩＰダミーゲートドライバに印加するために、前記第１基板の前記ダミー領域の一側に形成される信号ラインと、前記信号ラインと前記共通配線間の前記第１基板の前記ダミー領域に配置される静電気防止回路部とを備えて構成される。
【発明の効果】
【００２５】
本発明に係るＧＩＰ構造の液晶表示装置によれば、信号ラインの静電気防止回路部を、液晶表示パネルの左側上端のダミー領域における空間よりも広い左側下端に形成するため、該静電気防止回路部と、上下部基板を合着するシール材との距離を広くすることができ、シール材形成マージンを十分に確保することが可能になる。
【００２６】
なお、静電気防止回路部が、上下部基板を合着するシール材と一定距離を維持できるため、シール材を伝導性シール材とした場合であっても、上部基板の共通電極と信号ラインとがショートするのを防止し、収率を向上させることができる。
【発明を実施するための最良の形態】
【００２７】
以下、本発明のＧＩＰ構造の液晶表示装置に係る好適な実施例を、添付の図面を参照しつつ詳細に説明する。
【００２８】
図３は、本発明の実施の形態による液晶表示装置を示す平面図であり、図４は、図３の液晶表示装置における静電気防止回路部を拡大して示す平面図である。
【００２９】
本発明によるＧＩＰ構造の液晶表示装置では、図３に示すように、一定空間をおいて下部基板１０と上部基板２０とがシール材９０によって合着される。ここで、下部基板１０を上部基板２０よりも大きくし、そこに、データドライバなどが実装される非表示領域を形成し、合着された上下部基板１０、２０のシール材９０の内側に表示領域を形成する。図３では、下部基板１０の非表示領域に、ＴＣＰ７０が実装される場合を示している。
【００３０】
なお、上記のように合着された上下部基板１０、２０の表示領域は、アクティブ領域Ａ／Ａとダミー領域Ｄとに区分される。
【００３１】
上述したように、下部基板１０の表示領域のうち、アクティブ領域Ａ／Ａには、ゲートライン、データライン、画素電極及び薄膜トランジスタが形成され、上部基板２０の表示領域のうち、アクティブ領域Ａ／Ａには、ブラックマトリクス、カラーフィルタ層及び共通電極などが形成される。
【００３２】
下部基板１０の表示領域のうち、ダミー領域Ｄには、共通配線１００、ＧＩＰゲートドライバ３０、ＧＩＰダミーゲートドライバ４０、タイミングコントローラから出力される各種信号（クロック信号、イネーブル信号、スタート信号、共通電圧等）を、ＧＩＰゲートドライバ３０及びＧＩＰダミーゲートドライバ４０に印加するための信号ライン５０が形成され、上部基板２０の表示領域のうち、ダミー領域Ｄには、ブラックマトリクス層が形成される。
【００３３】
ここで、共通配線１００は、液晶表示パネルの下側のダミー領域に形成され、一体に形成されるものではなく、共通配線１００上にシール材９０が重なるので、シール材９０に光を照射してシール材９０を硬化させるべく、複数本のラインで形成される。また、ＧＩＰダミーゲートドライバ４０は、ＧＩＰゲートドライバ３０に比べて占有面積が小さいため、ＧＩＰダミーゲートドライバ４０が形成されたダミー領域における空間が、液晶表示パネルの左側上端における空間よりも広い。
【００３４】
もちろん、表示領域の上下部基板１０、２０間には、液晶層が形成される。
【００３５】
なお、工程中に信号ライン５０に静電気が印加されると、内部回路の素子が破壊されることがあり、これを防止するために、信号ライン５０に静電気防止回路部６０が設置される。
【００３６】
このような静電気防止回路部６０を、図４を参照して、より具体的に説明すると、下記の通りである。
【００３７】
静電気防止回路部６０は、液晶表示パネルの左側下端のダミー領域に形成されたもので、共通配線１００を用いて構成する。
【００３８】
すなわち、静電気防止回路部６０は、各信号ライン５０と共通配線１００との間において、各信号ラインに対応する別のライン８０をダミー領域に構成し、信号ライン５０の本数に対応する静電気防止素子６０ａを各ライン８０に配置してなる。
【００３９】
上記構成において、ＧＩＰゲートドライバ３０の下側にＧＩＰダミーゲートドライバ４０が配置され、ＧＩＰダミーゲートドライバ４０一側の信号ライン５０と共通配線１００間のダミー領域に、静電気防止回路部６０が配置される。
【図面の簡単な説明】
【００４０】
【図１】従来のＧＩＰ構造の液晶表示装置を示す平面図である。
【図２】図１の静電気防止回路部を拡大して示す平面図である。
【図３】本発明の実施の形態による液晶表示装置を示す平面図である。
【図４】図３の液晶表示装置における静電気防止回路部を拡大して示す平面図である。
【符号の説明】
【００４１】
１０、２０  基板、３０  ＧＩＰゲートドライバ、４０  ＧＩＰダミーゲートドライバ、５０  信号ライン、６０  静電気防止回路部、６０ａ  静電気防止素子、７０  ＴＣＰ、８０  ライン、９０  シール材、１００  共通配線。
【図１】
2008009367.tif 000003
【図２】
2008009367.tif 000004
【図３】
2008009367.tif 000005
【図４】
2008009367.tif 000006